(57)【要約】【課題】ユーザによる機器操作の容易性の向上を図ることができる機器操作装置、および機器操作方法を提供する。【解決手段】階層的に対応づけられた操作項目を選択することで、選択された操作項目に基づき発行されるコマンドによって機器を操作する。階層的に対応づけられた操作項目を選択することで、機器の操作が可能となることから、ユーザによる機器操作の容易性の向上が図られる。【選択図】図４
2005311874.tif 000002
【特許請求の範囲】
【請求項１】
機器の操作に係り、かつ階層的に対応づけられる複数の操作項目を記憶する操作項目記憶部と、
前記記憶された複数の操作項目のいずれかを選択する選択手段と、
前記選択された操作項目に基づいて、前記機器に対して動作を指示するコマンドを発行するコマンド発行手段と、
前記生成されたコマンドを前記機器に送信する送信部と、
を具備することを特徴とする機器操作装置。
【請求項２】
前記操作項目を表示する表示部、をさらに具備し、
前記選択手段が、前記表示部に表示された操作項目に基づいて操作項目を選択する
ことを特徴とする請求項１記載の機器操作装置。
【請求項３】
前記選択された操作項目に対応して、データを入力するデータ入力手段をさらに具備し、
前記コマンド発行手段が、前記選択された操作項目および前記入力されたデータに基づいて、コマンドを発行する
ことを特徴とする請求項１記載の機器操作装置。
【請求項４】
前記コマンド発行手段が、最下層の操作項目に基づいて、コマンドを発行する
ことを特徴とする請求項１記載の機器操作装置。
【請求項５】
前記複数の操作項目の情報を受信する受信部
をさらに具備することを特徴とする請求項１記載の機器操作装置。
【請求項６】
機器の操作に係り、かつ階層的に対応づけられる複数の操作項目のいずれかを選択する選択ステップと、
前記選択された操作項目に基づいて、前記機器に対して動作を指示するコマンドを発行するコマンド発行ステップと、
前記発行されたコマンドを前記機器に送信する送信ステップと、
を具備することを特徴とする機器操作方法。
【発明の詳細な説明】
【技術分野】
【０００１】
本発明は、機器を操作する機器操作装置、および機器操作方法に関する。
【背景技術】
【０００２】
ビデオレコーダ等の機器を操作するためにリモコン等の機器操作装置が用いられる。
ここで、リモコン装置の表示部に、取扱説明書の内容およびＶＴＲの３次元モデルを表示し、この３次元モデルによってＶＴＲを操作する技術が開示されている（例えば、特許文献１参照）。
【特許文献１】特開２０００−１８４４７５号公報
【発明の開示】
【発明が解決しようとする課題】
【０００３】
上述の先行技術ではリモコンの画面上で実際のＶＴＲと対応する操作を行うことで、ＶＴＲの動作を制御することができるが、実際のＶＴＲでの操作はユーザにとって煩雑である。
上記に鑑み、本発明はユーザによる機器操作の容易性の向上を図ることができる機器操作装置、および機器操作方法を提供することを目的とする。
【課題を解決するための手段】
【０００４】
上記目的を達成するために、本発明に係る機器操作装置は、機器の操作に係り、かつ階層的に対応づけられる複数の操作項目を記憶する操作項目記憶部と、前記記憶された複数の操作項目のいずれかを選択する選択手段と、前記選択された操作項目に基づいて、前記機器に対して動作を指示するコマンドを発行するコマンド発行手段と、前記生成されたコマンドを前記機器に送信する送信部と、を具備することを特徴とする。
【０００５】
選択手段によって階層的に対応づけられた操作項目を選択することで、選択された操作項目に基づくコマンドの発行、送信が行われ、このコマンドによって機器を操作できる。階層的に対応づけられた操作項目を選択することで、機器の操作が可能となることから、ユーザがコマンドと対応するキー操作を行う必要が無くなり、ユーザによる機器操作の容易性の向上が図られる。
【０００６】
上記目的を達成するために、本発明に係る機器操作方法は、機器の操作に係り、かつ階層的に対応づけられる複数の操作項目のいずれかを選択する選択ステップと、前記選択された操作項目に基づいて、前記機器に対して動作を指示するコマンドを発行するコマンド発行ステップと、前記発行されたコマンドを前記機器に送信する送信ステップと、を具備することを特徴とする。
【発明の効果】
【０００７】
本発明によれば、ユーザによる機器操作の容易性の向上を図ることができる機器操作装置、および機器操作方法を提供できる。
【発明を実施するための最良の形態】
【０００８】
以下、図面を参照して、本発明の実施の形態を詳細に説明する。
図１は、本発明の実施形態に係る機器操作装置としてのリモートコントローラ（以下リモコンと称する）１０の構成を示すブロック図である。図２，３はそれぞれ、リモコン１０を異なる方向から見た状態を表す斜視図である。
尚、リモコン１０に換えて、携帯電話、携帯用コンピュータ等を含む携帯端末装置一般を機器操作装置として用いることが可能である。
【０００９】
図１に示すように、リモコン１０は、バス１１、ＣＰＵ（中央演算処理装置）１２、メモリ１３、キー制御部１４、操作キー１５，赤外線制御部１６、赤外線ポート１７，液晶制御部２１、液晶表示部２２，タッチパネル制御部２３、タッチパネル２４，ネットワーク制御部２５、ＬＡＮポート２６より構成され、操作対象機器としてのビデオレコーダ３０の操作が可能である。
【００１０】
ＣＰＵ１２は、プログラムによって動作され、コマンド発行手段として機能し、ビデオレコーダ３０等を操作するコマンドを赤外線制御部１６から送信させる。また、ＣＰＵ１２は、後述する電子マニュアルに基づく画像（操作項目選択画面、追加情報入力画面）を液晶表示部２２上に表示させる。
メモリ１３は、ＣＰＵ１２を動作させるためのプログラムおよび後述する電子マニュアルを記憶するものであり、操作項目記憶部として機能する。メモリ１３は、一般的には、ＲＡＭ（ランダムアクセスメモリ）、ＲＯＭ（リードオンリメモリ）、ＥＰＲＯＭ等であるが、ＨＤ（ハードディスク）を用いることも可能である。
【００１１】
キー制御部１４は、入力部１５とＣＰＵ１２との間を仲介するインタフェースであり、操作キー１５からの情報の入力を監視し、入力された情報をＣＰＵ１２へと出力する。
操作キー１５は、情報を入力するための入力装置である。操作キー１５で入力された情報に基づいて、ビデオレコーダ３０の起動（電源ＯＮ）、操作のためのコマンドが発行される。
操作キー１５として、図２，３に示す操作ボタン１５１，ダイアル１５２が対応する。ダイアル１５２を用いて数値等の入力を効率的に行える。なお、ダイアル１５２に換えて、トラックボールを用いることも可能である。
【００１２】
赤外線制御部１６は、赤外線ポート１７とＣＰＵ１２との間を仲介するインタフェースであり、ＣＰＵ１２からの指示に応じて、赤外線ポート１７から赤外線の信号を送信させる。この信号として、ビデオレコーダ３０での起動（電源ＯＮ）、再生、早送り、停止、逆戻りや、録画予約等のコマンド（制御コード）が挙げられる。また、赤外線制御部１６は、ビデオレコーダ３０から送信され、赤外線ポート１７で受信された赤外線の信号に対応する信号をＣＰＵ１２へと出力する。
赤外線ポート１７は、赤外線の発光素子および受光素子を備え、赤外線での信号の送信および受信を行う。
【００１３】
液晶制御部２１は、液晶表示部２２に各種画像（例えば、操作項目選択画面、追加情報入力画面）を表示させる。
タッチパネル制御部２３は、タッチパネル２４とＣＰＵ１２との間を仲介するインタフェースであり、タッチパネル２４のタッチされた位置を検出し、そのタッチ位置（座標値）をＣＰＵ１２に出力する。
タッチパネル２４は、液晶表示部２２と一体的に構成され、操作項目を選択する選択手段として機能する。例えば、液晶表示部２２上に表示されたボタンをタッチパネル２４でタッチすることで、操作項目を選択できる。
【００１４】
ネットワーク制御部２５は、ＬＡＮポート２６とＣＰＵ１２との間を仲介するインタフェースであり、ＬＡＮポート２６からの情報の送信、受信を制御する。
ＬＡＮポート２６は、インターネット等のネットワークとの通信を行う。
ＬＡＮポート２６およびネットワーク制御部２５を通して、後述する電子マニュアルをダウンロードすることができる。また、ＬＡＮポート２６を介して、操作対象からの情報伝達を行える。
【００１５】
（電子マニュアルの内容）
図４は、電子マニュアルの概念的な構成を表す概念図である。また、図５は、電子マニュアルの操作項目を選択する操作項目選択画面、および選択された操作項目に対応する追加情報入力画面を表す図である。
この例では、操作対象機器として、製品コードが「ＲＤ−ＸＳ４１」のビデオレコーダ３０を想定している。
【００１６】
図４に示すように電子マニュアルは操作項目が階層的に配置されることで構成される。
電子マニュアルの第１階層（最上位ノード）の「ＲＤ−ＸＳ４１電子マニュアル」の下に第２階層の操作項目「録画する」および「再生する」が配置される。第２階層の操作項目「録画する」の下に第３階層の操作項目「今すぐ録画」および「予約録画」が配置される。
第３階層の操作項目「今すぐ録画」の最下層であり、「今すぐ録画」を実行するための制御コマンド群と対応づけられる。一方、第３階層の操作項目「予約録画」の下層は第４階層の操作項目「日時指定」、「毎週録画」、「毎日録画」である。そして、第４階層の操作項目「日時指定」、「毎週録画」、「毎日録画」は最下層であり、それぞれ入力すべき追加情報、発行すべき制御コマンド群と対応づけられる。
【００１７】
以上のように、この電子マニュアルでは、最上位ノード「ＲＤ−ＸＳ４１電子マニュアル」から下層に分岐し、最下位ノード（例えば、第３階層の「今すぐ録画」、第４階層の「毎週録画」）と制御コマンド群（必要であれば、追加情報にも）と対応づけられる。
【００１８】
この階層中の操作項目を選択するために、液晶表示部２２上に操作項目選択画面（選択メニュー）が表示される。図４に示す「メニューＩＤ」はこの操作項目選択画面を互いに識別するためのメニュー識別子である。
図５（ａ）は、第１階層「ＲＤ−ＸＳ４１電子マニュアル」から第２階層の操作項目を選択するための操作項目選択画面である。「録画する」および「再生する」のボタンが表示され、タッチパネル２４によってこのボタンを操作することで、第２階層の操作項目が選択される。
【００１９】
図５（ｂ）は、第２階層「録画する」から第３階層の操作項目を選択するための操作項目選択画面である。「今すぐ録画」および「予約録画」のボタンが表示され、タッチパネル２４によってこのボタンを操作することで、第３階層の選択項目が選択される。
図５（ｃ）は、第３階層の「予約録画」から第４階層の選択項目を選択するための操作項目選択画面である。第４階層の「日時指定」、「毎週録画」、および「毎日録画」のボタンが表示され、タッチパネル２４によってこのボタンを操作することで、第４階層の操作項目が選択される。
【００２０】
図５（ｄ）は、第４階層の「毎週録画」に対応する追加情報を入力するための追加情報入力画面を表す。ユーザに選択された項目の内容（「毎週の決まった時刻での録画」）および入力を要する情報（曜日、時刻、チャンネル）が表示される。ユーザは追加情報入力画面での指示に従い情報を入力する。この入力は操作キー１５を用いて行える。なお、本図は曜日、時刻、チャンネルを入力した状態を表す。
本図に示された「送信ボタン」をタッチパネル２４によって操作することで、選択された操作項目および追加情報入力画面で入力された追加情報に基づく制御コマンド群が発行され、赤外線ポート１７から送信される。
【００２１】
以上のように、ユーザが階層的に構成された電子マニュアル上で最下層の操作項目を選択し、選択された操作項目に対応する追加情報を入力し、「送信」ボタンを押すことで、ビデオレコーダ３０の予約録画等の操作を行える。
ユーザは、電子マニュアルの上層から下層に向かって操作項目（「やりたいこと」）を選択して行くことで、コマンドを意識することなく、ビデオレコーダ３０を操作することができる。
この電子マニュアルでは、操作内容に応じてどのようにコマンドを組み合わせればよいかが定義される。即ち、この電子マニュアルには、ユーザが最終的に目的とする操作内容（最下層の操作項目）を実現するためのコマンドの組み合わせが記述されている。この結果、ユーザの操作が容易になる。
【００２２】
以上から判るように、この電子マニュアルは、操作項目（場合により追加情報も）とコマンド群とを対応づける操作項目−コマンド群対応テーブルとして機能する。但し、この電子マニュアルは、１の操作と１のコマンドが１対１に対応する単なる対応テーブルとは異なる。なお、この詳細は後述する。
この電子マニュアルを交換可能にしておくことで、リモコン１０が複数の機器に対応することができる。
【００２３】
（リモコン１０の動作）
図６は、リモコン１０で操作対象機器を操作する手順の一例を表すフローチャートである。
（１）操作対象機器の起動（ステップＳ１１）
ユーザがリモコン１０を操作対象機器に向け、操作キー１５を操作することで、赤外線ポート１７から起動コマンドが送信される。操作対象機器はこの起動コマンドによって、起動される（機器の電源：入）。
【００２４】
（２）操作対象機器の確認（ステップＳ１２）
リモコン１０で複数種類の操作対象機器が操作可能の場合には、操作対象機器の確認が必要となる。操作対象機器によって、その走査指令に用いるコマンドが異なるからである。
１）例えば、ユーザがリモコン１０に操作対象機器を表す情報を入力することで、操作対象機器を特定できる。一例として、リモコン１０の液晶表示部２２上に操作対象機器のリストを表示してタッチパネル２４での操作によって操作対象を選択することができる。
【００２５】
２）また、ユーザからの選択を行うことなく、操作対象機器を確認することもできる。リモコン１０から機器を特定してコマンドを送信し、操作対象機器側からリモコン１０に製品コードを送信する。リモコン１０を所望の機器に向け、赤外線ポート１７からコマンドを送信することで特定の機器のみにコマンドを送信できる。
３）このような１対１の双方向通信を行わなくても、リモコン１０が操作対象機器の製品コードを入手することが可能である。
例えば、操作対象機器側で、電源が投入された時刻を記憶しておき、リモコン１０からのコマンドに応じて、起動時刻と製品コードとを送信する。リモコン１０は、最新に起動した機器を操作対象と判断する。ＬＡＮポート２６からコマンドと送信することで、ネットワークに接続されている複数の機器にコマンドを送信できる。
以上、操作対象機器の確認手法について説明した。なお、リモコン１０での操作対象機器が特定されていれば、この確認操作は不要である。
【００２６】
（３）操作対象機器の電子マニュアルの有無判断・ダウンロード（ステップＳ１３、Ｓ１４）
操作対象機器の電子マニュアルがリモコン１０のメモリ１３に記憶されているか否かを判断する。この判断は、入手した製品コードを用いて行える。
もし、電子マニュアルが記憶されていない場合には、ＬＡＮポート２６を介してインターネット等から電子マニュアルをダウンロードする（ステップＳ１４）。
【００２７】
（４）操作項目選択画面の表示・選択入力（ステップＳ１５〜Ｓ１７）
リモコン１０の液晶表示部２２に、電子マニュアルの最上層のメニューＩＤに対応する操作項目選択画面が表示される。例えば、図４の「ＲＤ−ＸＳ４１電子マニュアル」のメニューＩＤに対応する操作項目選択画面（図５（ａ））が表示される。
ユーザは操作項目選択画面上のボタンによって、電子マニュアルの下層の操作項目を選択する。即ち、タッチパネル２４によって液晶表示部２２上に表示されたボタンをタッチすることで操作項目が選択される。
この操作項目の選択は電子マニュアルの最下層の操作項目が選択されるまで繰り返し行われる。例えば、図５（ａ）の操作項目選択画面で操作項目「録画する」を選択し、図５（ｂ）の操作項目選択画面で操作項目「予約録画」を選択し、さらに図５（ｃ）の操作項目選択画面で操作項目「毎週録画」を選択することで、図４の第４階層の操作項目「毎週録画」が選択される。
【００２８】
（５）追加情報の入力の要否判断・追加情報の入力（ステップＳ１８〜Ｓ２０）
最下層での選択項目に対応する追加情報の入力の要否が判断される。この要否の判断は電子マニュアル参照することで行える。
図４に示すように、操作項目「今すぐ録画」では追加情報の入力は不要である。これに対して、操作項目「毎週録画」では、曜日、時刻、チャンネルの入力が必要であり、図５（ｄ）に示す追加情報入力画面（録画予約画面）が表示され、この追加情報入力画面を用いた追加情報（パラメータ）の入力が行われる。
【００２９】
（６）制御コマンドの発行・送信・操作結果の表示（ステップＳ２１、Ｓ２２）
選択された操作項目（さらには入力された追加情報）に基づいて、コマンド群が発行されて、リモコン１０から操作対象機器に向かって送信される。そして、このコマンドに対応して制御対象機器が動作する。
リモコン１０は制御された結果をネットワーク経由で取得する。例えば録画予約なら、設定された日時やチャンネルなどがリモコン１０上に表示される。これにより、ユーザは自分の操作が受け付けられたことを確認できる。
【００３０】
図７は、リモコン１０での操作内容と、その動作内容（コマンドの送信含む）との対応関係を表す模式図である。
ユーザが「録画する」ボタン、「予約する」ボタン、「毎週録画」ボタンをタッチすることで、追加情報入力画面（録画予約入力画面）が選択される。このとき、リモコン１０は、選択される操作項目を認識する。
追加情報入力画面を用いて、曜日、時刻、チャンネルを指定するための追加情報の入力を行う。このとき、リモコン１０は、入力された情報を記憶している。
その後に、「送信」ボタンがタッチされることで、制御コマンド群および追加情報に基づくコマンド群が発行、送信される。
【００３１】
図７ではコマンドとして（１）〜（１２）のコマンド群が発行、送信される。これらのコマンド群は、基本的には操作項目「毎週録画」が選択されたことで決定される。入力された追加情報は、（４）、（８）、（１０）での送信回数ａ，ｂ，ｃの決定に用いられる。
後述するように、このときに発行、送信されるコマンド群自体はリモコン１０での通常の操作の場合と同様である。即ち、図７で送信されるコマンド群は、操作対象機器の従来のコマンドをそのまま利用することができる。
【００３２】
図８は、操作対象機器としてのビデオレコーダ３０におけるリモコンの操作ボタン、コマンド、制御対象機器のモード、操作内容の対応関係を表す模式図である。なお、ここでのリモコンは図１に示すリモコン１０と同一か否かは特に問題としない。
図９は、通常のリモコンでの操作の際に、ビデオレコーダ３０に接続されるテレビ上に表示される操作用の画面を表す図である。
【００３３】
（１）リモコンの「録画ボタン」を押して、ビデオレコーダ３０にコマンドＡを送信し、ビデオレコーダ３０を通常モードから録画モードに移行させる。このとき、テレビ上に録画設定画面が表示される（図９（ａ）参照）。
（２）「上向きカーソルボタン」を押して、ビデオレコーダ３０にコマンドＢを送信し、カーソルを末尾の空き入力位置に移動させる（図９（ｂ）参照）。
（３）「決定ボタン」を押して、ビデオレコーダ３０にコマンドＦを送信し、録画予約画面上での空き入力位置を選択する（図９（ｃ）参照）。
【００３４】
（４）「下向きカーソルボタン」を押して、ビデオレコーダ３０にコマンドＣを送信し、チャンネルを選択する（図９（ｄ）参照）。このとき選択するチャンネルに応じて、下向きカーソルボタンを押す回数ａ（コマンドＣを送信する回数）が定まる。
（５）「右向きカーソルボタン」を押して、コマンドＤを送信し、カーソルを次の設定項目（月日指定部分）に移動させる（図９（ｄ）参照）。
（６）「上向きカーソルボタン」を押して、ビデオレコーダ３０にコマンドＢを送信し、録画の月日を指定する。ここでは、上向きカーソルボタンを２回押して、操作対象にコマンドＢを２回送信することで、「毎週」録画が選択されるものとする（図９（ｄ）参照）。
【００３５】
（７）「右向きカーソルボタン」を押して、コマンドＤを送信し、カーソルを次の設定項目（開始時刻指定部分）に移動させる（図９（ｄ）参照）。
（８）「下向きカーソルボタン」を押して、ビデオレコーダ３０にコマンドＣを送信し、録画の開始時刻を指定する。ここでは、「下向きカーソルボタン」をｂ回押して、コマンドＣをｂ回送信することで、開始時刻が入力されるものとする（図９（ｄ）参照）。
（９）「右向きカーソルボタン」を押して、コマンドＤを送信し、カーソルを次の設定項目（終了時刻指定部分）に移動させる（図９（ｄ）参照）。
（１０）「下向きカーソルボタン」を押して、コマンドＣを送信し、録画の終了時刻を指定する。ここでは、「下向きカーソルボタン」をｃ回押して、コマンドＣをｃ回送信することで、終了時刻が入力されるものとする（図９（ｄ）参照）。
【００３６】
（１１）決定ボタンを押して、操作対象にコマンドＦを送信し、予約入力を確定する（図９（ｅ）参照）。
（１２）リモコン１０の録画ボタンを押して、操作対象にコマンドＡを送信し、録画モードから通常モードに移行させる。このとき、操作対象からの返信に応じて、テレビ上に通常の画面が表示される。
【００３７】
以上の通常の操作で次の順序でコマンドが送信される。即ち、（１）コマンドＡ、（２）コマンドＢ、（３）コマンドＦ、（４）ａ回のコマンドＣ、（５）コマンドＤ、（６）２回のコマンドＢ、（７）コマンドＤ、（８）ｂ回のコマンドＣ、（９）コマンドＤ、（１０）ｃ回のコマンドＣ、（１１）コマンドＦ、（１２）コマンドＡである。
以上の（１）〜（１２）で送信されるコマンド群は、図７の（１）〜（１２）で送信されるコマンド群と全く同一である。
【００３８】
図４，図７に示すように、本実施形態ではユーザの操作するボタンと、送信されるコマンドが１対１の関係である必要がない。また、入力空き領域や、設定項目（曜日や時刻等）への移動を行なうカーソル操作が不要で、直感的な入力が容易となる。
【００３９】
以上のように、本実施形態によれば、機能が豊富で複雑なデジタル機器、例えばＨＤＤ／ＤＶＤレコーダーなどを、ウィザード形式・ガイダンス形式で操作することが可能となる。従って、分厚い取扱説明書を熟読することなく、やりたいことを選択するだけで機器の操作が可能になる。
【００４０】
即ち、電子マニュアル上で操作項目（「やりたいこと」）を階層的に選択していくことで、制御コマンド群が選択されるので、ユーザが操作項目を覚える必要が無い。最下層の操作項目が選択されると、必要に応じて追加情報入力画面が表示され、その画面上での指示に従って各種パラメータの入力（設定）を行なうことができる。このようにして、選択された操作項目、入力された追加情報に対応して、コマンド群（制御命令）が発行、送信され、機器を操作できる。
【００４１】
また、電子マニュアルをリモコンとは別途に提供することで、例えば、機器のファームウェアがアップデートされて機能が追加したときでも対応が容易である。
機器の製品コードなどを利用するため、１個のリモコンで複数の機器を操作することが可能になる。しかも、電子マニュアルをダウンロードするだけでよいので、従来のマルチリモコンなどのように、ユーザがリモコンに特段の設定を行なう必要が無い。
【００４２】
さらには、リモコン１０側の画面のみで機器の操作が可能なため、例えば、ビデオレコーダ３０での予約録画などを行なう際、テレビの電源を入れる必要が無い。この結果、ディスプレイ装置を持たない機器（例えば、ホームサーバー）の操作を容易に行える。
【００４３】
（その他の実施形態）
本発明の実施形態は上記の実施形態に限られず拡張、変更可能であり、拡張、変更した実施形態も本発明の技術的範囲に含まれる。
【図面の簡単な説明】
【００４４】
【図１】本発明の一実施形態に係る機器操作装置としてのリモコンの構成を示すブロック図である。
【図２】リモコンの斜視図である。
【図３】リモコンの斜視図である。
【図４】電子マニュアルの概念的な構成を表す概念図である。＋
【図５】電子マニュアルの操作項目を選択する操作項目選択画面、および選択された操作項目に対応する追加情報入力画面を表す図である。
【図６】リモコンで操作対象機器を操作する手順の一例を表すフローチャートである。
【図７】リモコンでの操作内容と、その動作内容（コマンドの送信含む）との対応関係を表す模式図である。
【図８】リモコンの操作ボタン、コマンド、ビデオレコーダのモード、操作内容の対応関係を表す模式図である。
【図９】通常のリモコンでの操作の際に、ビデオレコーダに接続されるテレビ上に表示される操作用の画面を表す図である。
【符号の説明】
【００４５】
１１…バス、１２…ＣＰＵ、１３…メモリ、１４…キー制御部、１５…操作キー、１５１…操作ボタン、１５２…ダイアル、１６…赤外線制御部、１７…赤外線ポート、２１…液晶制御部、２２…液晶表示部、２３…タッチパネル制御部、２４…タッチパネル、２５…ネットワーク制御部、２６…ＬＡＮポート、３０…ビデオレコーダ
【図１】
2005311874.tif 000003
【図２】
2005311874.tif 000004
【図３】
2005311874.tif 000005
【図４】
2005311874.tif 000006
【図５】
2005311874.tif 000007
【図６】
2005311874.tif 000008
【図７】
2005311874.tif 000009
【図８】
2005311874.tif 000010
【図９】
2005311874.tif 000011